(57)【特許請求の範囲】
【請求項１】
樹脂製配管の孔あけ対象範囲にマーキングを施し、前記樹脂製配管の孔あけ位置を覆う電熱板と、この電熱板上に熱拡散を防止する断熱材と、当該断熱材上に倣う可撓性を有した薄板とを積み重ね、これらを前記樹脂製配管にベルト締めするとともに前記電熱板にて前記樹脂製配管を加熱し、当該樹脂製配管を軟化させた後にベルト締めを開放し、前記電熱板を前記樹脂製配管から離反させ、刃部先端に前記樹脂製配管の肉厚に略等しい窪みが形成された孔あけ用カッタにて当該樹脂製配管の孔あけを行うことを特徴とする樹脂製配管の孔あけ工法。
【請求項２】
樹脂製配管の孔あけ位置を覆う電熱板と、この電熱板上に熱拡散を防止する断熱材と、当該断熱材上に倣う可撓性を有した薄板との三層構造からなり、前記薄板の表面に前記樹脂製配管を抱持可能な長さを有したベルト部を設け、前記ベルト部の接線方向に突出したファスナの位置が前記薄板から外れるよう、前記ベルト部と前記薄板の相対位置を設定し、当該ベルト部の締め付けにより、前記電熱板を前記樹脂製配管に密着可能にしたことを特徴とする配管加熱治具。
【発明の詳細な説明】
【０００１】
【発明の属する技術分野】
本発明は、樹脂製配管の孔あけ工法および配管加熱治具に係り、特に基管から分岐管を引き出す際の前記基管への孔あけに好適な樹脂製配管の孔あけ工法および配管加熱治具に関する。
【０００２】
【従来の技術】
電話線等の地中配線では、まず地中に基管となる配管を埋設しておき、この配管に個々の建屋へと分岐される分岐管を接続しておく。そして前記配管に複数の通信ケーブルを挿通させるとともに、通信ケーブルを個々の分岐管へと分配し、前記通信ケーブルを各建屋に接続するようにしている。
【０００３】
このような地中配線では、建屋が新設され、配管からこの新規建屋に新たな通信ケーブルを接続しようとする場合がある。そして配管が塩化ビニールやポリエチレン等の樹脂製である場合には、以下に示すような工法が用いられていた。
【０００４】
第１の工法としては、配管における分岐予定範囲を掘り起こし、まず孔あけ用のマーキングを施す。次いでこのマーキングに沿ってサンダーやホールソーあるいはエンドミルを装着したトリマーやルータなどにより配管に孔あけを行い、孔あけ後の切断面を必要に応じてヤスリあるいはリュウター等で仕上げる。そして配管に孔あけを行った後は、この孔を基準として分岐管を取り付け、その後、通線作業を行うものである。
【０００５】
また第２の工法としては、第１の工法と同じく、まず配管における分岐予定範囲を掘り起こす。そして前記配管の分岐予定範囲にて前記配管の切断を行い、この切断した配管の間に既製品の分岐用継手を取り付け、当該分岐用継手から分岐管を引き出すとともに、配管から前記分岐管への通線作業を行うものが知られている。
【０００６】
ところでこうした配管では、その作業中に表面が損傷し孔があいたり、あるいは孔あけが終了した後に孔あけの場所が変更になってしまう場合が考えられる。このように何らかの理由で配管の表面に孔があいた場合、当該孔を塞ぐよう補修を行う必要があるが、その方法として、まず孔を塞ぐためのカバーを補修用としてあらかじめ用意する。次いで配管に生じた孔のまわりに接着剤を塗布するとともに、孔および接着剤の塗布領域を覆うように前記カバーを配管に押し付ける。そしてこの状態を保ちつつ、配管およびカバーをテープで巻き付ければ、配管に生じた孔を封止することができる。
【０００７】
また他の封止方法として、前記配管に生じた孔の前後にて当該配管を切断し、そしてこの切断した配管の間に継手を介して新たな配管を挿入し、修復を行うものも知られている。
【０００８】
【発明が解決しようとする課題】
しかし上述した２つの工法は、以下に示すような問題点があった。
すなわち第１の工法では、配管への孔あけを行う際、前記配管内にすでに挿通されている通信ケーブルをサンダーや糸鋸、あるいはリュウターで損傷させるおそれがあった。また前記おそれがあることから必要以上の注意力を要し、このため作業時間が長くなってしまう問題もあった。
【０００９】
一方、第２の工法では、分岐用継手を新たに用いるので工法のコストが高騰してしまうという問題があった。また既設配管を分断する際には、既設ケーブルも同時に分断する必要があり、作業工数が増大してしまうという問題もあった。
また補修対処となる配管は、様々な径のものが用いられている。このため封止用となるカバーを配管の外径に応じて用意しなければならず、部材管理が複雑になってしまう問題があった。
【００１０】
そして孔の前後にて配管を切断し、この切断した配管の間に継手を介して新たな配管を挿入する方法は、継手を新たに用いるのでコストが高騰してしまうという問題があった。また配管を切断する際、既設ケーブルは挿通されているとこれらケーブルも同時に切断する必要があり、作業工数が増大してしまうという問題もあった。
【００１１】
本発明は、上記従来の問題点に着目し、配管への孔あけの際、配管内に挿通されるケーブル類を損傷させることなく、工事における時間短縮と低コストとを達成することができる樹脂製配管の孔あけ工法および配管加熱治具を提供することを目的とする。
【００１２】
【課題を解決するための手段】
本発明は、樹脂製配管における孔あけ範囲を局部的に加熱すれば、この孔あけ範囲の硬度が低下し、孔あけを容易にすることができるという知見に基づいてなされたものである。
【００１３】
すなわち本発明に係る樹脂製配管の孔あけ工法は、樹脂製配管の孔あけ対象範囲にマーキングを施し、前記樹脂製配管の孔あけ位置を覆う電熱板と、この電熱板上に熱拡散を防止する断熱材と、当該断熱材上に倣う可撓性を有した薄板とを積み重ね、これらを前記樹脂製配管にベルト締めするとともに前記電熱板にて前記樹脂製配管を加熱し、当該樹脂製配管を軟化させた後にベルト締めを開放し、前記電熱板を前記樹脂製配管から離反させ、刃部先端に前記樹脂製配管の肉厚に略等しい窪みが形成された孔あけ用カッタにて当該樹脂製配管の孔あけを行うこととした。
【００１４】
そして本発明に係る配管加熱治具は、樹脂製配管の孔あけ位置を覆う電熱板と、この電熱板上に熱拡散を防止する断熱材と、当該断熱材上に倣う可撓性を有した薄板との三層構造からなり、前記薄板の表面に前記樹脂製配管を抱持可能な長さを有したベルト部を設け、前記ベルト部の接線方向に突出したファスナの位置が前記薄板から外れるよう、前記ベルト部と前記薄板の相対位置を設定し、当該ベルト部の締め付けにより、前記電熱板を前記樹脂製配管に密着可能にするよう構成した。
【００１７】
【作用】
上記構成によれば、樹脂製配管の表面に孔をあける範囲を設定する。そして当該孔あけ位置を設定した後は、この孔あけ位置を覆うように電熱板を置き、さらにその上に断熱材と薄板とを置く。このように電熱板の上に断熱材を置けば、前記電熱板への通電により発生した熱が外部に拡散することなく、その大半を樹脂製配管に伝熱させることができ、短時間で樹脂製配管における孔あけ位置の範囲を軟化させることができる。さらに断熱材において電熱板と接する側の反対側には、前記電熱板にて発生した熱が殆ど伝わらないので、例え断熱材や薄板に触れても火傷などが生じるのを防止することができる。さらに外気温度の影響を受けにくくなり、加熱状態および加熱時間を安定させることができる。
【００１８】
また断熱材の上に薄板を積み重ね、この薄板を、ベルトによって樹脂製配管に巻き付けたことから、ベルトの締め付け荷重が薄板によって分散され、電熱板に均一な荷重が加わることになる。このため樹脂製配管に電熱板が浮き上がったり、片当たりすることが無くなり、孔あけ位置の範囲では一様な加熱を行うことが可能になる。ところで樹脂製配管は、既設の場合、地中に埋設されているので、電熱板を取り付ける際には、孔あけ位置付近の範囲の付近を掘り起こす必要があるが、この際、管下には湧き水（泥水）が発生する場合がある。このためはテープ等で電熱板を固定しようとすると、前記湧き水（泥水）によってテープの粘着力が低下し、電熱板が配管表面に密着しなかったり、あるいは管下のスペースが少ないのでテープを樹脂製配管に巻き付けるのが難しくなることが予想されるが、本発明ではベルトによって電熱板を締め付けるため、湧き水（泥水）の影響を受けることなく、またテープの様に管下に何重にもベルトを通す必要がないので電熱板の樹脂製配管への装着を容易にすることができる。
【００１９】
なお電熱板が孔あけ位置を覆った際、ベルト部のファスナの位置が薄板から外れるよう、前記ベルト部と前記薄板の相対位置を設定すれば、例えば、作業者は配管上方からファスナの開閉を行うだけで、電熱板を樹脂製配管へ密着させることが可能になる。このためテープの巻き付けによって電熱板を配管に取り付けるように、前かがみの姿勢を保ちつつ管下に手を入れるなどの困難な作業を無くすることができる。
【００２０】
そして電熱板により樹脂製配管を一定の温度以上に加熱した後は、ベルトを開放して電熱板を樹脂製配管の表面から離反させ、孔あけ位置について孔あけを行うようにすればよい。ここで電熱板を樹脂製配管から離反させるのには、ベルトを緩めるだけでよいことから、素早い取り外しが可能になり、作業時間の短縮とともに、加熱した樹脂製配管が電熱板の取り外しによって冷却するのを防止することができる。
【００２１】
なお孔あけ作業に、その刃先先端に樹脂製配管の肉厚に略等しい窪みが形成された孔あけ用カッタを用いるようにすれば、当該孔あけ用カッタを孔あけ範囲の外縁に沿って牽引すると、孔あけ用カッタの差し込み深さは、窪みにおける反力のバランスによって、当該窪みの中心がほぼ樹脂製配管の肉厚の半分の位置に一致するようになる。ここで刃先先端に設けられた窪みは、前述の通り、樹脂製配管の肉厚に略等しいことから、前記樹脂製配管１２の内壁から刃先が突出する量を最小限に抑えることが可能になる。これにより孔あけ範囲に沿ってカッタを進行させても、ケーブルはカッタの刃先にかかることがないので、ケーブルの損傷や断線といった障害を防止することができる。なおカッタの窪みにおける刀背部分の形状を曲面で形成すれば、ケーブルがカッタの刀背部分に接触しても、当該カッタに引っかかることが防止できるので、ケーブルの損傷や断線といった障害の防止を一層確実にすることができる。
【００２２】
そして樹脂製配管に生じた孔を覆うように、半割り管と電熱板とを積み重ねるとともに、これら半割り管と電熱板とを前記樹脂製配管に弾性シートにて巻き付ければ、電熱板の加熱によって半割り管が軟化し、樹脂製配管の表面に前記半割り管を密着させることができる。そして半割り管を樹脂製配管に密着させた後、接着剤等で両者を固定すれば、樹脂製配管に生じた孔の封止を行うことができる。なお弾性シートに代えてベルトにて半割り管を締め付けても、樹脂製配管に対する付勢力が当該半割り管に働くので、ベルトを用いた締め付けでも加熱により半割り管を樹脂製配管に密着させることができる。
【００２３】
なお半割り管を樹脂製配管から作り出すようにしたことから、樹脂製配管とは別に孔を封止する部材を別途用意する必要が無くなり、部材管理等の労力を軽減させることが可能になる。そして樹脂製配管に生じた孔の形状に応じて適宜切り出すようにすれば、様々な孔形状にも適用することができる。
【００２４】
【発明の実施の形態】
以下に本発明に係る樹脂製配管の孔あけ工法および配管加熱治具、ならびに配管補修方法に好適な具体的実施の形態を図面を参照して詳細に説明する。
図１は、本実施の形態に係る配管加熱治具の形態を示す構造説明図であり、図２は、胴配管加熱治具の正面図と側面図である。
【００２５】
これらの図に示すように、本実施の形態に係る配管加熱治具１０は、樹脂製配管１２に巻き付け可能とする電熱板１４と、この電熱板１４を覆うように取り付けられる断熱材１６および薄板となる金属板１８とからなる３層から構成されるとともに、最外層となる金属板１８には、一対のベルト部となるメタルバンド２０が取り付けられ、このメタルバンド２０を締め付けることで、配管加熱治具１０を樹脂製配管１２に取り付け可能にしている（なお図１においては、電熱板１４は、その説明のため断熱材１６より大きく図示されているが、実際は図２に示すような大小関係になっている）。
【００２６】
電熱板１４には、図示しないニクロム線に代表される電熱発生機を内蔵した断面円弧状の板や、可撓性を有したシート材にて構成され、その大きさは少なくとも樹脂製配管１２の外表面に形成されるマーキング（当該マーキングについては後述する）を覆うように設定される。また電熱板１４からは、一対の電線２２が引き出されており、この一対の電線２２の間に電圧を印加することで、電熱板１４自体を発熱可能にしている。
【００２７】
そしてこの電熱板１４の外側に取り付けられる断熱材１６は、ガラス製の長繊維にて織り込まれた表皮と、この表皮に内包されるガラスウールとで構成されている。ここで当該ガラスウールは、熱伝導率の値が小さく断熱効果に優れた性質を有しているので、電熱板１４より熱が発生しても、この熱が断熱材１６を介して他方に拡散するのを防止することができる。このため電熱板１４を発熱させると、当該電熱板１４にて発生した熱は、その殆どが樹脂製配管１２へと移動し、当該樹脂製配管１２への効率の良い加熱が可能になる。なおガラスウールは、塵埃として空気中に飛散しやすいことから、前述の通り前記ガラスウールをガラス製の長繊維にて織り込まれた表皮にて取り巻き、ガラスウールが空気中に飛散するのを防止するようにしている。
【００２８】
さらに断熱材１６の外側には、可撓性を有した金属板１８が設けられている。当該金属板１８は、断熱材１６を全面にわたって覆うだけの形状に設定されており、この金属板１８の表面には、一対のメタルバンド２０がスポット溶接によって固定されている。なお断熱材１６と金属板１８との間には、双方の密着性を向上させる目的から、その間にシート状のシリコン材（シリコンシート）を介在させるようにしてもよい。
【００２９】
そしてメタルバンド２０を締め付けることで樹脂製配管１２に電熱板１４を密着させるようにしている。なお金属板１８を介してメタルバンド２０の締め付けを行うことで、メタルバンド２０による集中荷重が金属板１８によって平均化され、断熱材１６および電熱板１４に均等な力を加えることができる。このため樹脂製配管１２に対する電熱板１４の片当たりや浮き上がりなどが生じるのを防止することができ、樹脂製配管１２に対して均等な加熱を行うことが可能になる。
【００３０】
ところで金属板１８にスポット溶接され、樹脂製配管１２に電熱板１４を密着させるメタルバンド２０は、前記樹脂製配管１２を抱持可能とするバンド２４と、このバンド２４の端部同士を係合させ、前記バンド２４をループ状にさせるファスナ２６とで構成されている。さらにファスナ２６は、バンド２４の長手方向に沿って複数形成された取付穴（図示せず）の任意の孔に装着されるフック部２８と、このフック部２８に係合可能とするレバー部３０とで構成されており、当該レバー部３０は、バンド２４と同様の幅を有し、Ｌ字状に折り曲げをなした取付板３２の上面３４に取り付けられている。そして取付板３２は、その両側端部がバンド２４に取り付けられており、これにより前記レバー部３０は、フック部２８と係合した際、ループ状からなるバンド２４の接線方向に突出した形態となる。
【００３１】
そして樹脂製配管１２の外径が異なる際には、バンド２４の長手方向に沿って複数形成された取付穴を異ならせ、フック部２８を装着すればよい。このようにフック部２８を装着する取付穴を異ならせれば、フック部２８とレバー部３０との間のバンド２４の長さを異ならせることができるので、樹脂製配管１２の外径の変更に対応させることができる。
【００３２】
ところでバンド２４において金属板１８を取り付ける位置は、ファスナ２６との関係で設定すればよい。すなわち樹脂製配管１２のマーキングを覆うよう電熱板１４を取り付けた際、ファスナ２６が樹脂製配管１２の上方に来るように、金属板１８の取り付け位置を設定する。このように金属板１８の取り付け位置をファスナ２６との関係で設定し、当該ファスナ２６の位置を樹脂製配管１２の上方に位置させるようにすれば、配管加熱治具１０の着脱作業を常に樹脂製配管１２の上方から行うことができ、このため狭いスペースにおいても容易に作業を実施することができる。
【００３３】
このように構成された配管加熱治具１０を用いて樹脂製配管１２への孔あけ作業を行う手順を説明する。
図３は、樹脂製配管にマーキングを行う手順を示した説明図である。同図に示すように、塩化ビニールあるいはポリエチレンからなる樹脂製配管１２の内部には、光ケーブル等の複数の通信ケーブル３１が収納されている。このような樹脂製配管１２にマーキングを施す場合には、まず樹脂製配管１２の孔あけ対象範囲のまわりを掘り起こし、前記樹脂製配管１２の表面を露出させる。次いでけがきゲージ３６を、樹脂製配管１２の孔あけ対象範囲に押し当てる。なおけがきゲージ３６は、樹脂製配管１２の外径に合わせた所定長さを有し、かつ、その断面形状は半円弧形状で形成され、その内側には樹脂製配管１２へのマーキング形状に合わせて、例えば長円形状の孔３８が形成されている。そして作業者は、けがきゲージ３６の長円形状の孔３８に沿って油性ペン４０を走らせて、樹脂製配管１２の表面にマーキング４２を施す。
【００３４】
このように樹脂製配管１２の表面にマーキング４２を施した後は、前記樹脂製配管１２からけがきゲージ３６を取り外すとともに、新たにマーキング４２を覆うように配管加熱治具１０を装着する。この装着の手順を以下に示す。
【００３５】
図４は、樹脂製配管に配管加熱治具を取り付けた状態を示す作業説明図である。同図に示すように、まず樹脂製配管１２に付けられたマーキング４２を覆うように電熱板１４をテープなどによって仮固定する。このように電熱板１４の仮固定を行った後は、樹脂製配管１２の下部と土砂底面４１との間にバンド２４のフック部２８側を通す。そして断熱材１６が前記電熱板１４に重なるように断熱材１６の位置を微調整しつつ、前記フック部２８と、レバー部３０とを掛止させ、ファスナ２６によってバンド２４の両端部を掛止させる。なお金属板１８とファスナ２６との位置関係は、配管加熱治具１０を樹脂製配管１２に装着した際、ファスナ２６が樹脂製配管１２の上方にくるようあらかじめ取り付け位置が決められているので、作業領域を大きく取ることができ、困難な作業を無くすることができる。
【００３６】
このようにマーキング４２の範囲に電熱板１４を当て、当該電熱板１４の外側から断熱材１６と金属板１８とで前記電熱板１４を樹脂製配管１２に押し当て、一対の電線２２の間に電圧を印加すれば、断熱材１６によって配管加熱治具１０の外部への熱の拡散を防止することができるとともに、金属板１８によって均等な力を電熱板１４に加えることができ、マーキング４２の範囲を均一に加熱することが可能になる。また外気温度の影響を受けにくくなり、加熱状態および加熱時間を安定させることができるのはいうまでもない。さらに外方に露出する金属板１８は、電熱板１４からの伝熱によって温度が上昇することがないので、作業者等が火傷をするのを防止することが可能になる。
【００３７】
そして任意の時間が経過し、樹脂製配管１２への加熱が十分になされ、前記樹脂製配管１２が軟化した後は、電熱板１４への電圧の印加を停止するとともに、ファスナ２６を開放させ、フック部２８とレバー部３０とを離反させる。ここでフック部２８とレバー部３０との離反は、当該レバー部３０の可動によって即座に行うことができるので、作業時間の短縮が図れ、加熱した樹脂製配管が電熱板１４の取り外しによって冷却するのを防止することができる。
【００３８】
このように配管加熱治具１２を用いて樹脂製配管１２のマーキング４２を加熱すれば、電熱板１４にて発生した熱の殆どが樹脂製配管１２への加熱に用いられ、効率的な加熱を行うことができる。またファスナ２６の開閉によって本加熱治具１０の樹脂製配管１２への着脱が容易になるとともに、電熱板１４と金属板１８との間には断熱材１６が介在しているので、金属板１８の温度上昇を防止することができ、作業員等が火傷するのを防止することができる。またこれら効果に加えて、外気温度の影響を受けにくくなり、加熱状態および加熱時間を安定を図ることができる。
【００３９】
なお樹脂製配管１２におけるマーキング４２の範囲を加熱し、当該マーキング４２の範囲を軟化させた後は、このマーキング４２のラインに沿って、孔あけ用カッタ４４にて樹脂製配管１２の孔あけを行う。図５は、孔あけ用カッタにて樹脂製配管を切断する形態を示した状態説明図である。同図（１）に示すように、孔あけ用カッタ４４には、その刃部先端に樹脂製配管１２の肉厚に略等しい窪み４６が形成されている。そしてこの孔あけ用カッタ４４を樹脂製配管１２に差し込むとともに、孔あけ用カッタ４４をマーキング４２のラインに沿って牽引すると、当該孔あけ用カッタ４４の差し込み深さは、窪み４６における反力４７のバランスによって、当該窪み４６の中心がほぼ樹脂製配管１２の肉厚の半分の位置に一致するようになる。ここで刃先先端に設けられた窪み４６は、前述の通り、樹脂製配管１２の肉厚に略等しいことから、前記樹脂製配管１２の内壁から刃先が突出する量を最小限に抑えることが可能になる。なお刃先の突出量は、少なくとも樹脂製配管１２に挿通される通信ケーブルの外径の半分以下であればよい。
【００４０】
このように刃先先端に樹脂製配管１２の肉厚に略等しい窪み４６を設けるとともに、同図（２）に示すように、前記窪み４６における刀背部分４８の形状を曲面で形成すれば、樹脂製配管１２を挿通する通信ケーブル３１が孔あけ用カッタ４４の刀背部分４８に接触しても、前記通信ケーブル３１が孔あけ用カッタ４４に引っかかることが防止できるので、通信ケーブル３１の損傷や断線といった障害の防止を確実にすることができる。
【００４１】
なお本実施の形態で示した樹脂製配管の孔あけ工法および配管加熱治具は、単に、各建屋に通信線を分岐させる配管だけでなく新規配管にも適用することができる。また同工法や同治具は通信線に用いられる配管だけでなく、樹脂製からなる下水道配管などにも適用することができるのはいうまでもない。
ところで上述したように配管を局部加熱し、これを軟化させる手段は、配管の孔あけだけでなく他の用途にも適用させることが可能である。
【００４２】
図６および図７は、樹脂製配管を補修する手順を示した作業説明図である。なお上述した配管加熱治具と用いた孔あけ工法と共通する部材については、同一の番号を付与して説明をおこなうものとする。
【００４３】
既に埋設されてる樹脂製配管１２では、その作業中に表面が損傷し孔３８があいたり、あるいは孔あけが終了した後に孔あけの場所が変更になってしまう場合がある。そしてこのように樹脂製配管１２の表面に孔３８があいた場合、当該孔３８を塞ぐ必要がある。
【００４４】
すなわち図６（１）に示すように樹脂製配管１２の表面に生じた孔３８を塞ぐ場合には、まず同図（２）に示すように樹脂製配管１２と同径で同材料となる半割り管５０を樹脂製配管１２の孔３８に重ねる。なお半割り管５０は、樹脂線配管１２から孔３８を塞ぐだけの大きさに切り取ったものであり、前記半割り管５０は、樹脂製配管１２から作ることができる。このため樹脂製配管１２とは別に孔３８を封止する部材を別途用意する必要が無くなり、部材管理等の労力を軽減させることが可能になる。また半割り管５０は、樹脂製配管１２に生じた孔３８の大きさに応じて適宜切り取り面積を決定すればよい。
【００４５】
そして同図（２）に示すように半割り管５０を樹脂製配管１２の孔３８に重ねた後は、半割り管５０の外側に電熱板１４を重ね、さらにその上層から耐熱性を有した弾性シートとなるゴムバンド５２を用いて電熱板１４および半割り管５０を樹脂製配管１２に巻き付ける。ここで電熱板１４の樹脂製配管１２に対する貼り付き防止の目的から、これら電熱板１４と樹脂製配管１２との間にテフロンシート５１を介在させ、両者を容易に離反できるようにすることが好ましい。
【００４６】
ところでゴムバンド５２を用いた巻き付けの際、当該ゴムバンド５２をきつく（引っ張りながら）樹脂製配管１２に巻き付けるようにし、ゴムバンド５２の弾性変形によって樹脂製配管１２に密着する力が常に半割り管５０に加わるようにしておく。ゴムバンド５２を半割り管５０および電熱板１４に巻き付ける途中の状態を同図（３）に示す。このようにゴムバンド５２を半割り管５０および電熱板１４に巻き付け、当該電熱板１４にて半割り管５０への加熱を行えば、半割り管５０は、電熱板１４による加熱によって軟化する。そしてこの軟化とともに、半割り管５０にはゴムバンド５２によって樹脂製配管１２への付勢がなされているので、前記半割り管５０は、徐々に樹脂製配管１２の表面に接近し、最終的に樹脂製配管１２の表面に密着する。
【００４７】
このように樹脂製配管１２の表面に半割り管５０が密着した後は、電熱板１４による加熱を停止するとともに、ゴムバンド５２を取り外し、前記樹脂製配管１２から半割り管５０を離反させる。そして樹脂製配管１２の孔３８の周囲（半割り管５０との重なり部分）に接着剤を塗布し、その後、再び樹脂製配管１２の形状に倣った半割り管５０を樹脂製配管１２に密着させる。
【００４８】
こうして樹脂製配管１２の表面に半割り管５０を密着させた後は、図７（１）に示すように樹脂製配管１２に自己溶着テープ５４を巻き付け、半割り管５０を覆い、孔３８への漏水防止を図るよう気密性を高めるようにする。なお樹脂製配管１２が埋設される環境によっては、さらにその上層に番線固定を追加したり、あるいはモルタルで補修箇所を覆うようにしてもよい。
【００４９】
そして上述した配管補修方法は、電熱板１４をゴムバンド５２で巻き付けるだけでなく、メタルバンド２０を用いても行うことができる。すなわち図７（２）に示すように、電熱板１４と、この電熱板１４の上層に積み重ねられる断熱材（図示せず）および金属板１８を半割り管５０の表面に重ねる。そしてこの積層形態を保ったままメタルバンド２０を用いて樹脂製配管１２を締め付ける。このようにメタルバンド２０によって樹脂製配管１２を締め付けると、半割り管５０には前記樹脂製配管１２の密着方向に力が加わる。そしてこの状態から電熱板１４を加熱させ半割り管５０を軟化させれば、当該半割り管５０は変形し、徐々に樹脂製配管１２の表面に接近する。なおメタルバンド２０はゴムバンド５２と異なり弾性を有していないことから、半割り管５０の変形に応じて適時メタルバンド２０を締め上げ、適切な力が半割り管５０に加わるようにすればよい。
【００５０】
このようにメタルバンド２０を締め上げることによっても、半割り管５０を軟化させ、当該半割り管５０を樹脂製配管１２に密着させることができ、樹脂製配管１２に生じた孔３８の補修を行うことが可能になる。
【００５１】
【発明の効果】
以上説明したように本発明によれば、樹脂製配管の孔あけ対象範囲にマーキングを施し、前記樹脂製配管の孔あけ位置を覆う電熱板と、この電熱板上に熱拡散を防止する断熱材と、当該断熱材上に倣う可撓性を有した薄板とを積み重ね、これらを前記樹脂製配管にベルト締めするとともに前記電熱板にて前記樹脂製配管を加熱し、当該樹脂製配管を軟化させた後にベルト締めを開放し、前記電熱板を前記樹脂製配管から離反させ、刃部先端に前記樹脂製配管の肉厚に略等しい窪みが形成された孔あけ用カッタにて当該樹脂製配管の孔あけを行うようにしたことから、配管への孔あけの際、配管内に挿通されるケーブル類を損傷させることなく、工事における時間短縮と低コストとを達成することが可能になる。
【図面の簡単な説明】
【図１】本実施の形態に係る配管加熱治具の形態を示す構造説明図である。
【図２】胴配管加熱治具の正面図と側面図である。
【図３】樹脂製配管にマーキングを行う手順を示した説明図である。
【図４】樹脂製配管に配管加熱治具を取り付けた状態を示す作業説明図である。
【図５】孔あけ用カッタにて樹脂製配管を切断する形態を示した状態説明図である。
【図６】樹脂製配管を補修する手順を示した作業説明図である。
【図７】樹脂製配管を補修する手順を示した作業説明図である。
【符号の説明】
１０………配管加熱治具、１２………樹脂製配管、１４………電熱板、
１６………断熱材、１８………金属板、２０………メタルバンド、
２２………電線、２４………バンド、２６………ファスナ、
２８………フック部、３０………レバー部、３１………通信ケーブル、
３２………取付板、３４………上面、３６………けがきゲージ、３８………孔、４０………油性ペン、４１………土砂底面、４２………マーキング、
４４………孔あけ用カッタ、４６………窪み、４７………反力、
４８………刀背部分、５０………半割り管、５１………テフロンシート、
５２………ゴムバンド、５４………自己溶着テープ
【図１】
0003562638.tif 000002
【図２】
0003562638.tif 000003
【図３】
0003562638.tif 000004
【図４】
0003562638.tif 000005
【図５】
0003562638.tif 000006
【図６】
0003562638.tif 000007
【図７】
0003562638.tif 000008